【手続補正書】
【提出日】平成19年12月17日(2007.12.17)
【手続補正１】
【補正対象書類名】明細書
【補正対象項目名】特許請求の範囲
【補正方法】変更
【補正の内容】
【特許請求の範囲】
【請求項１】  画像フレーム内の少なくとも1つの波紋発生位置(波紋(0))で波紋スキャンを開始する波紋スキャン開始手段と、
前記発生位置を取り囲む四角形状のリング形態である波紋位置(波紋(1))を決定し、その前に処理した四角形状のリングを取り囲む四角形状のリング形態である波紋位置(波紋(i))を次の波紋として決定するための波紋スキャン位置決定手段と、
該波紋スキャン位置決定手段により決定された前記波紋に基づいて、順次前記の画像フレームをスキャンするための波紋スキャン手段と
を備えたことを特徴とする波紋スキャン装置。
【請求項２】  前記発生位置は、既に決定されていることを特徴とする請求項１に記載の波紋スキャン装置。
【請求項３】  前記既に決定された位置は、画像フレームの中央部であることを特徴とする請求項２に記載の波紋スキャン装置。
【請求項４】  前記発生位置（波紋（0））を決定するための波紋発生位置決定手段をさらに備えたことを特徴とする請求項１に記載の波紋スキャン装置。
【請求項５】  前記波紋(i)は、前記波紋発生位置からx軸にiほど離れた位置にあり、y軸には前記発生位置±i間に該当するすべての位置(1-1:x-iであり、(y-i<y<y+i)であるすべての位置)と、
前記波紋発生位置からx軸に+iほど離れた位置にあり、y軸には前記発生位置±i間に該当するすべての位置(1-2：x+iであり、(y-i<y<y+i)であるすべての位置)と、
前記波紋発生位置からy軸にiほど離れた位置にあり、x軸には前記発生位置±i間に該当するすべての位置(2-1：y-i であり、(x-i<x<x+i)であるすべての位置)と、
前記波紋発生位置からy軸に+iほど離れた位置にあり、x軸には前記発生位置±i間に該当するすべての位置(2-2：y+iであり、(x-i<x<x+i)であるすべての位置)と、
前記波紋発生位置からx軸に±iほど、そしてy軸に±iほど離れた所のすべての位置(3-1の位置は(x-i、y-i)、3-2は(x+i、y-i)、3-3は(x-i、y+i)、3-4は(x+i、y+i)に該当する位置)と
を含むことを特徴とする請求項１に記載の波紋スキャン装置。
【請求項６】  前記波紋スキャン装置は、マクロブロック単位で前記画像フレームを処理することを特徴とする請求項１に記載の波紋スキャン装置。
【請求項７】  前記波紋スキャン装置は、ブロック単位で前記画像フレームを処理することを特徴とする請求項１に記載の波紋スキャン装置。
【請求項８】  前記波紋スキャン装置は、ピクセル単位で前記画像フレームを処理することを特徴とする請求項１に記載の波紋スキャン装置。
【請求項９】  画像コーディングのための波紋スキャン装置において、
画像フレーム内の少なくとも１つの波紋発生位置(波紋(0))で波紋コーディングを開始するための波紋発生位置コーディング手段と、
前記発生位置からi番目に波紋(i)を決定し、コーディングするための波紋位置決定及びコーディング手段と、
既に決定された領域のデータがコーディングされるまで前記波紋位置決定及びコーディング手段の動作を許容する反復遂行如何決定手段と
を備えたことを特徴とする波紋スキャン装置。
【請求項１０】  前記既に決定された領域は、全体画像フレームであることを特徴とする請求項９に記載の波紋スキャン装置。
【請求項１１】  前記既に決定された領域は、前記画像フレームの一部であることを特徴とする請求項９に記載の波紋スキャン装置。
【請求項１２】  前記発生位置は、既に決定されていることを特徴とする請求項９に記載の波紋スキャン装置。
【請求項１３】  前記既決定された位置は、前記画像フレームの中央部であることを特徴とする請求項２に記載の波紋スキャン装置。
【請求項１４】  前記発生位置(波紋(0))を決定するための波紋発生位置決定手段をさらに備えたことを特徴とする請求項９に記載の波紋スキャン装置。
【請求項１５】  画像デコーディングのための波紋スキャン装置において、
画像フレーム内の少なくとも1つの波紋発生位置(波紋(0))で波紋デコーディングを開始するための波紋発生位置デコーディング手段と、
前記発生位置からi番目波紋(i)を決定し、デコーディングするための波紋位置決定及びデコーディング手段と、
既に決定された領域のデータがデコーディングされるまで前記波紋位置決定及びデコーディング手段が動作できるようにする反復遂行如何決定手段と
を備えたことを特徴とする波紋スキャン装置。
【請求項１６】  前記既に決定された領域は、全体画像フレームであることを特徴とする請求項１５に記載の波紋スキャン装置。
【請求項１７】  前記既に決定された領域は、前記画像フレームの一部であることを特徴とする請求項１５に記載の波紋スキャン装置。
【請求項１８】  前記発生位置は、既に決定されていることを特徴とする請求項１５に記載の波紋スキャン装置。
【請求項１９】  前記既に決定された位置は、画像フレームの中央部であることを特徴とする請求項１８に記載の波紋スキャン装置。
【請求項２０】  前記発生位置(波紋(0))を決定するための波紋発生位置決定手段をさらに備えたことを特徴とする請求項１５に記載の波紋スキャン装置。
【請求項２１】  画像フレーム内の少なくとも１つの波紋発生位置(波紋(0))で波紋スキャンを始める第１段階と、
前記発生位置に四角形状のリングを取り囲む形態で波紋(波紋(1))の位置を決定及びスキャンする第２段階と、
既に決定された領域のデータに対し、その前に処理した四角形状のリングを取り囲む四角形状のリング形態である波紋を含む次の波紋(波紋(i))を決定及びスキャンする第３段階と
を有することを特徴とする波紋スキャン方法。
【請求項２２】  前記既に決定された領域は、全体画像フレームであることを特徴とする請求項２１に記載の波紋スキャン方法。
【請求項２３】  前記既に決定された領域は、前記画像フレームの一部であることを特徴とする請求項２１に記載の波紋スキャン方法。
【請求項２４】  前記発生位置は、既に決定されていることを特徴とする請求項２１に記載の波紋スキャン方法。
【請求項２５】  前記既に決定された位置は、画像フレームの中央部であることを特徴とする請求項２４に記載の波紋スキャン方法。
【請求項２６】  前記発生位置(波紋(0))を決定する第４段階をさらに有することを特徴とする請求項２１に記載の波紋スキャン方法。
【請求項２７】  前記波紋(i）は、
前記波紋発生位置からx軸に-iほど離れた位置にあり、y軸には前記発生位置±i間に該当するすべての位置(1-1：x-i であり、(y-i<y<y+i)であるすべての位置)と、
前記波紋発生位置からx軸に+iほど離れた位置にあり、y軸には前記発生位置±i間に該当するすべての位置(1-2：x+iであり、(y-i<y<y+i)であるすべての位置)と、
前記波紋発生位置からy軸に-iほど離れた位置にあり、x軸には前記発生位置±i間に該当するすべての位置(2-1：y-i であり、(x-i<x<x+i)であるすべての位置)と、
前記波紋発生位置からy軸に+iほど離れた位置にあり、x軸には前記発生位置±i間に該当するすべての位置(2-2：y+i であり、(x-i<x<x+i)であるすべての位置)と、
前記波紋発生位置からx軸に±iほど、そしてy軸に±iほど離れた所のすべての位置(3-1の位置は(x-i、y-i)、3-2は(x+i、y-i)、3-3は(x-i、y+i)、3-4は(x+i、y+i)に該当する位置)と
を含むことを特徴とする請求項２１に記載の波紋スキャン方法。
【請求項２８】  前記波紋スキャン方法は、マクロブロック単位で前記画像フレームを処理することを特徴とする請求項２１に記載の波紋スキャン方法。
【請求項２９】  前記波紋スキャン方法は、ブロック単位で前記画像フレームを処理することを特徴とする請求項２１に記載の波紋スキャン方法。
【請求項３０】  前記波紋スキャン方法は、ピクセル単位で前記画像フレームを処理することを特徴とする請求項２１に記載の波紋スキャン方法。
【請求項３１】  画像コーディングのための波紋スキャン方法において、
画像フレーム内の少なくとも１つの波紋発生位置(波紋(0))で波紋コーディングを開始する第１段階と、
前記画像フレーム内に含まれた既に決定された領域のデータがコーディングされたか否かを判断する第２段階と、
前記第２段階の判断結果、前記既に決定された領域のデータがコーディングされたら、前記波紋コーディングを終了し、そうではなかったら、次の波紋位置を決定及びコーディングする過程を前記既に決定された領域のデータに対して繰り返し行う第３段階と
を有することを特徴とする波紋スキャン方法。
【請求項３２】  前記既に決定された領域は、全体画像フレームであることを特徴とする請求項３１に記載の波紋スキャン方法。
【請求項３３】  前記既に決定された領域は、前記画像フレームの一部であることを特徴とする請求項３１に記載の波紋スキャン方法。
【請求項３４】  前記発生位置は、既に決定されていることを特徴とする請求項３１に記載の波紋スキャン方法。
【請求項３５】  前記既に決定された位置は、前記画像フレームの中央部であることを特徴とする請求項３４に記載の波紋スキャン方法。
【請求項３６】  前記発生位置(波紋(0))を決定する第４段階をさらに有することを特徴とする請求項３１に記載の波紋スキャン方法。
【請求項３７】  画像デコーディングのための波紋スキャン方法において、
画像フレーム内の少なくとも１つの波紋発生位置(波紋(0))で波紋デコーディングを開始する第１段階と、
前記画像フレーム内に含まれた既に決定された領域のデータがデコーディングされたか否かを判断する第２段階と、
前記第２段階の判断結果、前記既に決定された領域のデータがデコーディングされたら、前記波紋でコーディングを終了し、そうではなかったら、次の波紋位置を決定及びデコーディングする過程を既に決定された領域のデータに対して繰り返し行う第３段階と
を有することを特徴とする波紋スキャン方法。
【請求項３８】  前記既に決定された領域は、全体画像フレームであることを特徴とする請求項３７に記載の波紋スキャン方法。
【請求項３９】  前記既に決定された領域は、前記画像フレームの一部であることを特徴とする請求項３７に記載の波紋スキャン方法。
【請求項４０】  前記発生位置は、既に決定されていることを特徴とする請求項３７に記載の波紋スキャン方法。
【請求項４１】  前記既に決定された位置は、画像フレームの中央部であることを特徴とする請求項４０に記載の波紋スキャン方法。
【請求項４２】  前記発生位置(波紋(0))を決定する第４段階をさらに有することを特徴とする請求項３７に記載の波紋スキャン方法。
【請求項４３】 基本階層ビットストリームをデコーディングして、画像フレームを復元するための基本階層デコーディング手段と、
少なくとも１つの波紋発生位置から開始して強化階層ビットストリームをデコーディングして、前記画像フレームを復元するための強化階層デコーディング手段と
を備えたことを特徴とするスケーラブル画像デコーディング装置。
【請求項４４】  前記発生位置は、既に決定されていることを特徴とする請求項４３に記載のスケーラブル画像デコーディング装置。
【請求項４５】  前記既に決定された位置は、前記画像フレームの中央部であることを特徴とする請求項４４に記載のスケーラブル画像デコーディング装置。
【請求項４６】  前記強化階層デコーディング手段は、波紋スキャン装置を用いて前記強化階層ビットストリームをデコーディングし、
前記波紋スキャン装置は、前記発生位置で波紋スキャンを開始し、既に決定された方向で順次波紋(i)位置を決定及びスキャンする前記波紋スキャンを拡張し、前記波紋は、既に決定された領域のデータに対し、前記発生位置を取り囲む四角形状のリング形態である請求項４３に記載のスケーラブル画像デコーディング装置。
【請求項４７】  前記既に決定された方向は、時計方向であることを特徴とする請求項４６に記載のスケーラブル画像デコーディング装置。
【請求項４８】  前記既に決定された方向は、反時計方向であることを特徴とする請求項４６に記載のスケーラブル画像デコーディング装置。
【請求項４９】  前記既に決定された領域は、全体画像フレームであることを特徴とする請求項４６に記載のスケーラブル画像デコーディング装置。
【請求項５０】  前記既に決定された領域は、前記画像フレームの一部であることを特徴とする請求項４６に記載のスケーラブル画像デコーディング装置。
【請求項５１】 基本階層ビットストリームをデコーディングして、画像フレームを復元する第１段階と、
少なくとも１つの波紋発生位置から開始して強化階層ビットストリームをデコーディングして前記画像フレームを復元する第２段階と
を有することを特徴とするスケーラブル画像デコーディング方法。
【請求項５２】  前記発生位置は、既に決定されていることを特徴とする請求項５１に記載のスケーラブル画像デコーディング方法。
【請求項５３】  既に決定された発生位置は、前記画像フレームの中央部であることを特徴とする請求項５２に記載のスケーラブル画像デコーディング方法。
【請求項５４】  前記強化階層ビットストリームは、前記発生位置における波紋スキャン開始によってデコーディングされ、既に決定された方向で順次波紋(i)位置を決定及びスキャンする前記波紋スキャンを拡張し、前記波紋は、既に決定された領域のデータに対し、前記発生位置を取り囲む四角形状のリング形態であることを特徴とする請求項５１に記載のスケーラブル画像デコーディング方法。
【請求項５５】  前記既に決定された方向は、時計方向であることを特徴とする請求項５４に記載のスケーラブル画像デコーディング方法。
【請求項５６】  前記既に決定された方向は、反時計方向であることを特徴とする請求項５４に記載のスケーラブル画像デコーディング方法。
【請求項５７】  前記既に決定された領域は、全体画像フレームであることを特徴とする請求項５４に記載のスケーラブル画像デコーディング方法。
【請求項５８】  前記既に決定された領域は、前記画像フレームの一部であることを特徴とする請求項５４に記載のスケーラブル画像デコーディング方法。
【請求項５９】  基本階層において入力画像フレームをコーディングし、基本階層ビットストリームを生成する基本階層コーディング手段と、
強化階層において波紋スキャン装置を用いて少なくとも１つの波紋発生位置から開始して、前記入力画像フレームをコーディングし、強化階層ビットストリームを生成する（ここで、前記波紋紋スキャン装置は、前記発生位置で波紋スキャンを開始し、既に決定された方向で順次波紋(i)位置を決定及びスキャンする前記波紋スキャンを拡張し、前記波紋は、既に決定された領域のデータに対し、前記発生位置を取り囲む四角形状のリング形態である）強化階層コーディング手段と
を備えたことを特徴とするスケーラブル画像コーディング装置。
【請求項６０】  前記発生位置は、既に決定されていることを特徴とする請求項５９に記載のスケーラブル画像コーディング装置。
【請求項６１】  前記既に決定された位置は、前記画像フレームの中央部であることを特徴とする請求項６０に記載のスケーラブル画像コーディング装置。
【請求項６２】  前記既に決定された方向は、時計方向であることを特徴とする請求項５９に記載のスケーラブル画像デコーディング装置。
【請求項６３】  前記既に決定された方向は、反時計方向であることを特徴とする請求項５９に記載のスケーラブル画像デコーディング装置。
【請求項６４】  前記既に決定された領域は、全体画像フレームであることを特徴とする請求項５９に記載のスケーラブル画像デコーディング装置。
【請求項６５】  前記既に決定された領域は、前記画像フレームの一部であることを特徴とする請求項５９に記載のスケーラブル画像デコーディング装置。
【請求項６６】  基本階層において入力画像フレームをコーディングし、基本階層ビットストリームを生成する第１段階と、
強化階層において少なくとも１つの波紋発生位置から開始して、前記入力画像フレームをコーディングし、強化階層ビットストリムを生成する（ここで、前記強化階層における前記入力画像フレームは、少なくとも１つの発生位置における波紋スキャン開始によってコーディングされ、既に決定された方向で順次波紋(i)位置を決定及びスキャンする前記波紋スキャンを拡張し、前記波紋は、既に決定された領域のデータに対し、前記発生位置を取り囲む四角形状のリング形態である）第２段階と
を有することを特徴とするスケーラブル画像コーディング方法。
【請求項６７】  前記発生位置は、既に決定されていることを特徴とする請求項６６に記載のスケーラブル画像コーディング方法。
【請求項６８】  前記既に決定された位置は、前記画像フレームの中央部であることを特徴とする請求項６７に記載のスケーラブル画像コーディング方法。
【請求項６９】  前記既に決定された方向は、時計方向であることを特徴とする請求項６６に記載のスケーラブル画像デコーディング方法。
【請求項７０】  前記既に決定された方向は、反時計方向であることを特徴とする請求項６６に記載のスケーラブル画像デコーディング方法。
【請求項７１】  前記既に決定された領域は、全体画像フレームであることを特徴とする請求項６６に記載のスケーラブル画像デコーディング方法。
【請求項７２】  前記既に決定された領域は、前記画像フレームの一部であることを特徴とする請求項６６に記載のスケーラブル画像デコーディング方法。
【請求項７３】  画像フレーム内の少なくとも1つの波紋発生位置(波紋(0))で波紋スキャンを開始する第１段階と、
既に決定された方向で順次波紋(i)位置を決定及びスキャンする前記波紋スキャンを拡張し、前記波紋は、既に決定された領域のデータに対し、前記発生位置を取り囲む四角形状のリング形態である第２段階と
を有することを特徴とする波紋スキャン方法。
【請求項７４】  前記既に決定された領域は、時計方向であることを特徴とする請求項７３に記載の波紋スキャン方法。
【請求項７５】  前記既に決定された方向は、反時計方向であることを特徴とする請求項７３に記載の波紋スキャン方法。
【請求項７６】  前記既に決定された領域は、全体画像フレームであることを特徴とする請求項７３に記載の波紋スキャン方法。
【請求項７７】  前記既に決定された領域は、前記画像フレームの一部であることを特徴とする請求項７３に記載の波紋スキャン方法。
【手続補正２】
【補正対象書類名】明細書
【補正対象項目名】００４５
【補正方法】変更
【補正の内容】
【００４５】
【課題を解決するための手段】
前記目的を達成するための本発明の装置は、波紋スキャン装置において、画像フレーム内の少なくとも1つの波紋発生位置(波紋(0))で波紋スキャンを開始する波紋スキャン開始手段と、前記発生位置を取り囲む四角形状のリング形態である波紋位置(波紋(1))を決定し、その前に処理した四角形状のリングを取り囲む四角形状のリング形態である波紋位置(波紋(i))を次の波紋として決定するための波紋スキャン位置決定手段と、該波紋スキャン位置決定手段により決定された前記波紋に基づいて、順次前記の画像フレームをスキャンするための波紋スキャン手段とを備えたことを特徴とする。
【手続補正３】
【補正対象書類名】明細書
【補正対象項目名】００４６
【補正方法】変更
【補正の内容】
【００４６】
また、本発明の他の装置は、画像コーディングのための波紋スキャン装置において、画像フレーム内の少なくとも１つの波紋発生位置(波紋(0))で波紋コーディングを開始するための波紋発生位置コーディング手段と、前記発生位置からi番目に波紋(i)を決定し、コーディングするための波紋位置決定及びコーディング手段と、既に決定された領域のデータがコーディングされるまで前記波紋位置決定及びコーディング手段の動作を許容する反復遂行如何決定手段とを備えたことを特徴とする。
【手続補正４】
【補正対象書類名】明細書
【補正対象項目名】００４７
【補正方法】変更
【補正の内容】
【００４７】
また、本発明の他の装置は、画像デコーディングのための波紋スキャン装置において、画像フレーム内の少なくとも1つの波紋発生位置(波紋(0))で波紋デコーディングを開始するための波紋発生位置デコーディング手段と、前記発生位置からi番目波紋(i)を決定し、デコーディングするための波紋位置決定及びデコーディング手段と、既に決定された領域のデータがデコーディングされるまで前記波紋位置決定及びデコーディング手段が動作できるようにする反復遂行如何決定手段とを備えたことを特徴とする。
【手続補正５】
【補正対象書類名】明細書
【補正対象項目名】００４９
【補正方法】変更
【補正の内容】
【００４９】
一方、本発明の方法は、波紋スキャン方法において、画像フレーム内の少なくとも１つの波紋発生位置(波紋(0))で波紋スキャンを始める第1段階と、前記発生位置に四角形状のリングを取り囲む形態で波紋(波紋(1))の位置を決定及びスキャンする第２段階と、既に決定された領域のデータに対し、その前に処理した四角形状のリングを取り囲む四角形状のリング形態である波紋を含む次の波紋(波紋(i))を決定及びスキャンする第３段階とを有することを特徴とする。
【手続補正６】
【補正対象書類名】明細書
【補正対象項目名】００５０
【補正方法】変更
【補正の内容】
【００５０】
また、本発明の他の方法は、画像コーディングのための波紋スキャン方法において、画像フレーム内の少なくとも１つの波紋発生位置(波紋(0))で波紋コーディングを開始する第１段階と、前記画像フレーム内に含まれた既に決定された領域のデータがコーディングされたか否かを判断する第２段階と、前記第２段階の判断結果、前記既に決定された領域のデータがコーディングされたら、前記波紋コーディングを終了し、そうではなかったら、次の波紋位置を決定及びコーディングする過程を前記既に決定された領域のデータに対して繰り返し行う第３段階とを有することを特徴とする。
【手続補正７】
【補正対象書類名】明細書
【補正対象項目名】００５１
【補正方法】変更
【補正の内容】
【００５１】
また、本発明の他の方法は、画像デコーディングのための波紋スキャン方法において、画像フレーム内の少なくとも１つの波紋発生位置(波紋(0))で波紋デコーディングを開始する第１段階と、前記画像フレーム内に含まれた既に決定された領域のデータがデコーディングされたか否かを判断する第２段階と、前記第２段階の判断結果、前記既に決定された領域のデータがデコーディングされたら、前記波紋でコーディングを終了し、そうではなかったら、次の波紋位置を決定及びデコーディングする過程を既に決定された領域のデータに対して繰り返し行う第３段階とを有することを特徴とする。
【手続補正８】
【補正対象書類名】明細書
【補正対象項目名】００５３
【補正方法】削除
【補正の内容】
【手続補正９】
【補正対象書類名】明細書
【補正対象項目名】００５４
【補正方法】削除
【補正の内容】
【手続補正１０】
【補正対象書類名】明細書
【補正対象項目名】００５５
【補正方法】削除
【補正の内容】
【手続補正１１】
【補正対象書類名】明細書
【補正対象項目名】００５６
【補正方法】削除
【補正の内容】
【手続補正１２】
【補正対象書類名】明細書
【補正対象項目名】００５７
【補正方法】削除
【補正の内容】
【手続補正１３】
【補正対象書類名】明細書
【補正対象項目名】００５８
【補正方法】削除
【補正の内容】
【手続補正１４】
【補正対象書類名】明細書
【補正対象項目名】００５９
【補正方法】削除
【補正の内容】
【手続補正１５】
【補正対象書類名】明細書
【補正対象項目名】００６０
【補正方法】削除
【補正の内容】
【手続補正１６】
【補正対象書類名】明細書
【補正対象項目名】００６１
【補正方法】変更
【補正の内容】
【００６１】
また、本発明の他の装置は、スケーラブル画像デコーディング装置において、基本階層ビットストリームをデコーディングして、画像フレームを復元するための基本階層デコーディング手段と、少なくとも１つの波紋発生位置から開始して強化階層ビットストリームをデコーディングして、前記画像フレームを復元するための強化階層デコーディング手段とを備えたことを特徴とする。
【手続補正１７】
【補正対象書類名】明細書
【補正対象項目名】００６２
【補正方法】変更
【補正の内容】
【００６２】
また、本発明の他の方法は、スケーラブル画像デコーディング方法において、基本階層ビットストリームをデコーディングして、画像フレームを復元する第１段階と、少なくとも１つの波紋発生位置から開始して強化階層ビットストリームをデコーディングして前記画像フレームを復元する第２段階とを有することを特徴とする。
【手続補正１８】
【補正対象書類名】明細書
【補正対象項目名】００６３
【補正方法】変更
【補正の内容】
【００６３】
また、本発明の他の装置は、スケーラブル画像コーディング装置において、基本階層において入力画像フレームをコーディングし、基本階層ビットストリームを生成する基本階層コーディング手段と、強化階層において波紋スキャン装置を用いて少なくとも１つの波紋発生位置から開始して、前記入力画像フレームをコーディングし、強化階層ビットストリームを生成する（ここで、前記波紋紋スキャン装置は、前記発生位置で波紋スキャンを開始し、既に決定された方向で順次波紋(i)位置を決定及びスキャンする前記波紋スキャンを拡張し、前記波紋は、既に決定された領域のデータに対し、前記発生位置を取り囲む四角形状のリング形態である）強化階層コーディング手段とを備えたことを特徴とする。
【手続補正１９】
【補正対象書類名】明細書
【補正対象項目名】００６４
【補正方法】変更
【補正の内容】
【００６４】
また、本発明の他の方法は、スケーラブル画像コーディング方法において、基本階層において入力画像フレームをコーディングし、基本階層ビットストリームを生成する第１段階と、強化階層において少なくとも１つの波紋発生位置から開始して、前記入力画像フレームをコーディングし、強化階層ビットストリムを生成する（ここで、前記強化階層における前記入力画像フレームは、少なくとも１つの発生位置における波紋スキャン開始によってコーディングされ、既に決定された方向で順次波紋(i)位置を決定及びスキャンする前記波紋スキャンを拡張し、前記波紋は、既に決定された領域のデータに対し、前記発生位置を取り囲む四角形状のリング形態である）第２段階とを有することを特徴とする。
【手続補正２０】
【補正対象書類名】明細書
【補正対象項目名】００６５
【補正方法】変更
【補正の内容】
【００６５】
一方、本発明は、波紋スキャン方法において、画像フレーム内の少なくとも1つの波紋発生位置(波紋(0))で波紋スキャンを開始する第１段階と、既に決定された方向で順次波紋(i)位置を決定及びスキャンする前記波紋スキャンを拡張し、前記波紋は、既に決定された領域のデータに対し、前記発生位置を取り囲む四角形状のリング形態である第２段階とを有することを特徴とする。
【手続補正２１】
【補正対象書類名】明細書
【補正対象項目名】００６６
【補正方法】削除
【補正の内容】
【手続補正２２】
【補正対象書類名】明細書
【補正対象項目名】００６７
【補正方法】削除
【補正の内容】
【手続補正２３】
【補正対象書類名】明細書
【補正対象項目名】００６８
【補正方法】削除
【補正の内容】